(57)【特許請求の範囲】
【請求項１】
記憶媒体および電池が装填される装填部と、
前記記憶媒体および前記電池を前記装填部に対して出し入れするための装填口を覆うとともに、筐体に対してスライド動作された後に回動動作されることにより前記装填口を開放する装填口蓋と、
前記装填部に装填された前記電池を固定する電池ロック機構と、
前記装填口蓋の開閉状態を検出する開閉検出手段と、
前記開閉検出手段の検出結果に基づいて前記記憶媒体に対するデータの記録を制御する記録制御手段と
を備えることを特徴とする携帯電子機器。
【請求項２】
データを記憶する記憶手段を更に有し、
前記記録制御手段は、前記開閉検出手段により前記装填口蓋が開状態になったことを検出すると、前記記憶手段に一時記憶されている前記記録媒体に記録途中のデータを前記記録媒体に早急に記録し、前記データの記録を終了させることを特徴とすることを特徴とする請求項１に記載の携帯電子機器。
【請求項３】
前記装填口蓋が開かれても前記電池からの給電は維持されることを特徴とする請求項２に記載の携帯電子機器。
【請求項４】
前記電池は凹部を有し、前記ロック機構は前記凹部と嵌合する爪であることを特徴とする請求項１に記載の携帯電子機器。
【請求項５】
前記開閉検出手段により、前記装填口蓋が開状態になったことを検出すると、前記記録媒体への書き込みクロック周波を高周波に変更して、データの前記記憶媒体への書き込みを早急に行なうことを特徴とする請求項２に記載の携帯電子機器。
【発明の詳細な説明】
【０００１】
【発明の属する技術分野】
この発明は、例えば、デジタルスチルカメラなど、情報を取り込んで記憶媒体に記録する携帯電子機器に関する。
【０００２】
【従来の技術】
例えば、デジタルスチルカメラなど、電池から駆動電源の供給を受けて情報を取り込み、これをフラッシュメモリやフロッピーディスクなどの記憶媒体に記録する携帯電子機器が広く利用されるようになってきている。
【０００３】
このような携帯電子機器において、記憶媒体は着脱可能とされており、必要に応じて記憶媒体を交換することができるようにされている。例えば、携帯電子機器に装填された記憶媒体の記憶容量一杯にデータを記憶した場合には、記憶媒体を交換することにより、新たな記憶媒体に情報を記録することができるようにされている。
【０００４】
【発明が解決しようとする課題】
ところで、携帯電子機器の１つであるデジタルスチルカメラの場合、記憶媒体を有効に活用するために、バッファに取り込んだ画像データをデータ圧縮して記憶媒体に記録する圧縮モードと、高品位の画像を再生するため、バッファに取り込んだ画像データをデータ圧縮せずに記憶媒体に記録する非圧縮モードとを備えている場合がある。
【０００５】
そして、非圧縮モードにより、非圧縮の画像データを記憶媒体に記憶する場合には、データ量が多いので、圧縮データを記憶媒体に記憶する場合に比べ、画像データの記憶媒体への書き込みに時間がかかる。このため、非圧縮の画像データの記憶媒体への記録が行なわれている最中などにおいて、既に取り込んだデータは正常に記録保持されたと勘違いしたユーザにより、記憶媒体が抜き出されたり、あるいは、電池交換が行なわれる場合がある。
【０００６】
この場合には、記憶媒体へのデータの記録処理が突然、強制的に中断されてしまうので、正常にデータの記録を終了することができず、記憶媒体に記録されるべき情報が消滅してしまったり、それまでに記憶媒体に記録した情報が破壊され読み出せなくなることがある。最悪の場合には、ビデオスチルカメラ自体が壊れてしまい、再度の使用ができなくなることもある。
【０００７】
そこで、ビデオスチルカメラの記憶媒体の装填口に蓋を設け、この蓋が開かれたことを検知して、記録途中の画像データの記録を早急に行ない、記憶媒体の取り出しに備えるようにすることが考えられる。このようにすることによって、記憶媒体の取り出し時においては、記憶媒体や携帯電子機器を保護することができる。
【０００８】
しかし、記憶媒体へのデータの書き込み最中に、駆動電源を供給する電池が取り出されてしまった場合の対応は取られていないので、電池が取り出されてしまった場合には、記録すべき情報の消滅など前述のようなトラブルが発生する場合がある。
【０００９】
そこで、電池の装填口にも蓋を設け、この蓋が開かれたことを検知するようにし、この電池の装填口の蓋が開かれたときにも、記憶媒体への情報の記録を早急に行なうようにすることが考えられる。
【００１０】
しかし、記憶媒体の装填口と、電池の装填口の両方に蓋を設け、かつ、蓋が開かれた場合にこれを検知するようにした場合には、蓋が開かれたことを検出するための検出スイッチなどの機構が２つ必要になるなど機構が複雑化し、携帯電子機器の小型化、軽量化を阻害する。また、コストアップにもつながる。
【００１１】
以上のことにかんがみ、この発明は、上記問題点を一掃し、記憶媒体あるいは電池のいづれの取り出し時においても、記憶媒体、記憶媒体に記録されている情報、携帯電子機器のそれぞれを保護することができる携帯電子機器を提供することを目的とする。
【００１２】
【課題を解決するための手段】
上記課題を解決するため、請求項１に記載の発明の携帯電子機器は、
記憶媒体および電池が装填される装填部と、
前記記憶媒体および前記電池を前記装填部に対して出し入れするための装填口を覆うとともに、筐体に対してスライド動作された後に回動動作されることにより前記装填口を開放する装填口蓋と、
前記装填部に装填された前記電池を固定する電池ロック機構と、
前記装填口蓋の開閉状態を検出する開閉検出手段と、
前記開閉検出手段の検出結果に基づいて前記記憶媒体に対するデータの記録を制御する記録制御手段と
を備えることを特徴とする。
【００１６】
また、請求項２に記載の発明の携帯電子機器は、請求項１に記載の携帯電子機器であって、
データを記憶する記憶手段を更に有し、
前記記録制御手段は、前記開閉検出手段により前記装填口蓋が開状態になったことを検出すると、前記記憶手段に一時記憶されている前記記録媒体に記録途中のデータを前記記録媒体に早急に記録し、前記データの記録を終了させることを特徴とすることを特徴とする。
【００１９】
また、請求項３に記載の発明の携帯電子機器は、請求項２に記載の携帯電子機器であって、
前記装填口蓋が開かれても前記電池からの給電は維持されることを特徴とする。
【００２１】
【発明の実施の形態】
以下、図を参照しながら、この発明による携帯電子機器の一実施の形態について説明する。以下に説明する実施の形態においては、この発明による携帯電子機器を、データ圧縮した画像データを記憶媒体に記憶保存する圧縮モードと、画像データを圧縮せずに記憶媒体に記録保存する非圧縮モードとを備えたデジタルスチルカメラに適用した場合として説明する。
【００２２】
図１は、この発明が適用されたデジタルスチルカメラを説明するための図であり、当該デジタルスチルカメラの後面からその内部を見た場合の図である。そして、後述もするように、図１Ａは、筐体１に設けられた電池蓋４が閉じられた状態を示し、図１Ｂは、電池蓋４が開かれた状態を示している。
【００２３】
図１Ａ、Ｂに示すように、この実施の形態のデジタルスチルカメラの筐体１の内部は、大きく分けると、着脱自在とされた記憶媒体５および電池ケース１０が装填される装填部１１と、メイン基板２が収納されたメイン基板部１２とに分けられている。
【００２４】
この実施の形態において、装填部１１に装填される記憶媒体５は、このデジタルスチルカメラに対して容易に着脱することができるようにされた、フラッシュメモリである。また、電池ケース１０は、後述もするように、電池ケース１０の急な取り出しを防止するために用いられるロック用凹部１０ａが設けられたものである。
【００２５】
そして、図１に示すように、装填部１１内には、記憶媒体５が接続されるコネクタ６と、サブ基板７と、弾性体をバネ状にすることによって形成された電池端子９を有する電池端子板８とが設けられている。電池端子板８と電池端子９とは、電池ケース１０からの給電を受けて、この実施の形態のデジタルスチルカメラの各部に、必要な電気エネルギーを供給するようにするものである。
【００２６】
また、メイン基板部２に収納されているメイン基板２は、図示しないが取り込んだ画像データを一時記憶するバッファメモリや、このデジタルスイッチカメラの各部を制御するメインマイクロコンピュータや、その他各種の回路が搭載されたものである。そして、このメイン基板２のバッファメモリに取り込まれた画像データが記憶媒体５に供給されて記憶保存するようにされる。
【００２７】
また、図１に示すように、筐体１の内部には、この筐体１の上部から内部方向に突出するように電池ロックつまみ１ｃが設けられている。この電池ロック部１ｃの電池ケース１０と対向する面の１部には、電池ケース１０を装填部１１に装填したときに、電池ケース１０に設けられたロック用凹部１０ａと合致する位置に電池ロック爪１ｄが設けられている。
【００２８】
この電池ロック爪１ｄは、電池ケース１０のロック用凹部に嵌まり込み、この電池ロック爪１ｄと、弾性体によりバネ状に形成された電池端子９とにより電池ケース１０を挟持して、装填部１１内において、電池ケース１０がその位置を変えないようにしている。これにより、電池ケース１０が装填部内の正常な位置にあるときには、その位置が支持されて、常時、給電状態を維持することができるようにされている。
【００２９】
なお、この電池ロックつまみ１ｃは、弾性体により形成されており、電池ロックつまみ１ｃの端部をメイン基板２の方向に押すことによって、電池ロック爪１ｄが設けられた電池ロックつまみ１ｃを力を加えた方向に動かすことができるようにされている。これにより、電池ロック爪１ｄを電池ロック凹部１０ａから外し、後述もするように、電池ケース１０を装填部１１から取り出すことができるようにされている。そして、力を加えることをやめると、電池ロックつまみ１ｃは、元の位置に戻る。
【００３０】
また、この実施の形態のデジタルスチルカメラの場合、図１Ａに示すように、装填部１１の下側に、記憶媒体５や電池ケース１０を出し入れするための装填口があり、この装填口を覆う、開閉自在とされた電池蓋４が設けられている。この電池蓋４は、鉤状に形成され、爪部４ｂを有するようにされているとともに、長孔４ａが設けられたものである。
【００３１】
そして、筐体１に設けられた電池蓋回転支点１ａを電池蓋の長孔４ａに挿入するようにして、筐体１に電池蓋４を取り付ける。この場合、電池蓋４は、長孔４ａの長手方向にスライド移動することができるとともに、電池蓋回転支点１ａを支点として回動し、開閉することができるようにされている。
【００３２】
また、電池蓋４が装填口を覆う状態（閉じた状態）にあるときに、筐体１の電池蓋ロック部１ｂと、爪部４ｂを有する電池蓋４の先端部分とが嵌合するようにして、電池蓋４が簡単に開くことがないようにしている。
【００３３】
さらに、この実施の形態のデジタルスチルカメラには、図１Ａ、Ｂに示すように、電池蓋１の近傍に電池蓋４の開閉を検出する開閉スイッチ３が設けられている。この開閉スイッチ３は、電池蓋４の開閉に応じてその位置を変えるようにされたスイッチ凸部３ａを有している。
【００３４】
つまり、この実施の形態においては、図１Ａに示すように、電池蓋４が装填口を覆う状態にあるときには、スイッチ凸部３ａは、電池蓋４の端部により開閉スイッチ３の内部方向に押し戻される。これにより、開閉スイッチ３は、オンとなるようにされる。また、図１Ｂに示すように、スイッチ凸部３ａは、電池蓋４が開かれた状態にあるときには、電池蓋４の端部による押下が解除されて突出する。これにより、開閉スイッチ３は、オフとなるようにされる。
【００３５】
このように、この実施の形態においては、開閉スイッチ３がオンの状態にあるときには、電池蓋４は、装填口を覆う閉じられた状態にあり、開閉スイッチ３がオフの状態になることによって、電池蓋４が開かれたことを検知することができるようにされている。
【００３６】
そして、筐体１に対して閉じられた状態にある電池蓋４を開き、装填部１１に装填されている記憶媒体５や電池ケース１０を取り出すようにした場合には、この実施の形態のデジタルスチルカメラは、以下に説明するように、電池蓋４が開かれたことを検出し、例えば、非圧縮モードで記憶媒体５に記録している最中の画像データなど、記録途中のデータの記録を早急に行なう。この早急な記録は、記録データの書き込みクロックを通常の場合よりも高周波数のクロックに変更することにより行なう。
【００３７】
まず、図１Ａにおいて矢印Ｙ１が示す方向に電池蓋４をスライド移動させ、電池蓋４の爪部４ｂを筐体１の電池蓋ロック部１ｂから離し、筐体１の電池蓋回転支点１ａを支点として、電池蓋４ａを矢印Ｙ２が示す方向に回動できるようにする。
【００３８】
そして、電池蓋４を回動させて装填口を開き、装填部１１に装填された記憶媒体５、電池ケース１０の取り出しを可能にする。この場合、装填部１１に装填された電池ケース１０は、前述したように、電池ロックつまみ１ｃに設けられた電池ロック爪１ｄと電池端子９により挟持され、装填部内においての位置が変わらないようされるとともに、給電状態が維持されるようにされている。
【００３９】
そして、電池蓋４ａが開かれたときには、電池蓋４の近傍に設けられた開閉スイッチ３の凸部３ａは、電池蓋４の端部による押下が解除されて、図１Ｂに示すように突出する。これにより、開閉スイッチ３はオフの状態になり、電池蓋４が開かれたことが検知される。
【００４０】
この実施の形態においては、開閉スイッチ３の状態は、例えば、メイン基板２に設けられたメインマイクロコンピュータによって監視されている。そして、開閉スイッチ３がオフになると、メイン基板２のメインマイクロコンピュータは、記憶媒体へのデータの書き込みクロックの周波数を高周波数にすることにより、書き込み速度を高速にして、メイン基板２のバッファメモリに一時記憶されている記憶媒体５に記録途中の画像データを、早急に記憶保存するようにする。これにより、迅速に、記憶媒体５への画像データの記録を終了させ、記憶媒体５の取り外しが可能な状態に移行し、記憶媒体５の取り出しに備える。
【００４１】
このように、この実施の形態のデジタルスチルカメラは、電池蓋４が開かれても、電池ケース１０からの給電は停止されないので、メイン基板２やサブ基板７は動作しており、記憶媒体５へのデータの早急な記録保存を行なうことができる。そして、ユーザによって、記憶媒体５を取り出す動作が開始される前に、記憶媒体５に対して記録途中の画像データの記録を迅速に終了させて、記憶媒体５を取り外し可能な状態に移行することができる。そして、記憶媒体５を図１Ｂにおいて矢印が示す方向に引き抜いても、支障が生じないようにされる。
【００４２】
また、電池ケース１０を装填部１１から取り出す場合には、前述もしたように、図１Ｂにおいて矢印Ｙ３が示す方向に、電池ロックつまみ１ｃを押すことにより、電池ロック爪１ｄを電池ケース１０のロック用凹部１０ａから外す。これにより、電池ケース１０は、バネ状に形成された電池端子９のバネ力により、図１Ｂにおいて矢印が示すように、装填口方向に押し出されて、電池ケース１０を装填部１１から取り出すことができる。
【００４３】
つまり、この実施の形態のデジタルスチルカメラの場合、電池蓋４を開いただけでは、電池ケース１０を取り出すことはできず、電池ロックつまみ１ｃを移動させなければならないので、電池ケース１０の急な取り出しを防止し、記憶媒体５へのデータの記録が終了した後に、電池ケースを取り出すことができるようにされる。
【００４４】
図２は、この実施の形態において、メイン基板２に設けられたメインマイクロコンピュータによって実行される、電池蓋４が開かれたときの記憶媒体５へのデータの保存処理を説明するためのフローチャートである。この実施の形態において、この図２に示す処理は、例えば、メイン基板２に設けられたマイクロコンピュータにより、所定間隔ごとに実行される。
【００４５】
つまり、メイン基板２に設けられたメインマイクロコンピュータは、予め決められた一定時間間隔ごとに、開閉スイッチ３の状態を検出する（ステップ１０１）。そして、ステップ１０１の検出結果に基づいて、電池蓋４が開かれたか否かを判断し（ステップ１０２）、開かれていると判断したときには、記録用のクロック信号を通常よりも高速なクロック信号にし、記憶媒体５にデータの記録を早急に行なう（ステップ１０３）。これにより、記憶媒体５へのデータの記録を迅速に終了させ、記憶媒体５を装填部１１から取り出し可能な状態にして、メインルーチンに戻る。
【００４６】
また、ステップ１０２の判断処理において、電池蓋４か開かれていないと判断したときには、何もせずにこの図２に示す処理を終了してメインルーチンに戻る。
【００４７】
このように、この実施の形態のデジタルスチルカメラの場合には、記憶媒体５、電池ケース１０とも、装填部１１に装填されているので、装填部１１に装填された記憶媒体５、電池ケース１０のいづれを取り外す場合にも、電池蓋４が開かれることになる。
【００４８】
そして、前述したように、電池蓋４が開かれたときには、開閉スイッチ３により電池蓋４が開かれたことが検知され、メイン基板２のマイクロコンピュータの働きにより、記憶媒体５へのデータの早急な記憶保存が行なわれる。
【００４９】
これにより、記憶媒体５の取り出しが可能な状態に迅速に移行し、データの書き込み中に記憶媒体５を装填部１１から取り出されることを防止することができる。
【００５０】
また、電池ケース１０は、筐体１に設けられた電池ロックつまみ部１ｄのロック爪１ｃと弾性体によりバネ状に形成された電池端子９とにより挟持され、電池蓋４が開かれただけでは取り出すことができず、また、給電状態も維持するようにされている。
【００５１】
このため、電池ロックつまみ１ｃを移動させて、電池ロック爪１ｄを電池ケース１０のロック用凹部１０ａから外さなければ、電池ケース１０を取り出すこともできないし、また、給電が停止させることもされることもないので、電池ケース１０の急な取り出しを防止し、電池蓋４が開かれた直後の記憶媒体５への早急なデータの記録保存を行なった後に、電池ケース１０の取り出しをできるようにすることができる。
【００５２】
また、記憶媒体５への画像データの早急な記録は、前述のように電池蓋が開かれた場合にしか行なわれない。したがって、通常は、必要以上に高い周波数のクロック信号が用いられることもないので、消費電力を大きくすることもなく、電池の寿命が短くなることもない。
【００５３】
なお、前述した実施の形態においては、電池ケースは、電池ロックつまみ１ｃの電池ロック爪１ｄと電池端子９とにより挟持して、その位置を支持することにより、電池蓋４が開かれた場合であっても給電が停止することがないようにしたが、これに限るものではない。
【００５４】
例えば、電池ケースをその周囲からおさえるようにして、その位置を支持し、給電を停止しないようにするなど、電池蓋４が開かれただけでは、電池ケースの給電端子部と、携帯電子機器の給電端子との接続が解除されることがないようにできればよい。
【００５５】
したがって、電池の形状も前述した実施の形態のように、ロック用凹部を有する電池に限るものではなく、電池蓋を開いただけでは、電池からの給電が停止することがないようにする給電維持手段などに応じて、各種の形状の電池を用いることができる。
【００５６】
また、記憶媒体もフラッシュメモリに限るものではなく、フロッピーディスクや、ＭＤ（ミニディスク）と呼ばれる小型光磁気ディスクなど各種の記憶媒体を用いるようにすることができる。
【００５７】
また、前述した実施の形態においては、この発明による携帯電子機器をデジタルスチルカメラに適用したものとして説明したがこれに限るものではない。例えば、携帯用の録音機器など、電池から駆動電源の供給をうけて、取り込んだ情報を着脱可能な記憶媒体に記録する携帯電子機器にこの発明を適用することができる。
【００５８】
【発明の効果】
以上説明したように、請求項１に記載の発明の携帯電子機器によれば、装填部に装填された電池の急な取り出しを防止することができるので、記憶媒体、記憶媒体に記録されているデータ、携帯電子機器の破壊を確実に防止することができる。
【００５９】
また、記憶媒体と電池とは同じ装填部内に装填され、装填口蓋を開くことにより、記憶媒体、電池とも装填部に対して着脱可能とされるので、構成が複雑になったり、小型化、軽量化を阻害することもない。
【００６０】
また、請求項２に記載の発明の携帯電子機器によれば、装填口蓋が開かれた場合には、記憶媒体へのデータの記録が早急に行なわれるので、記憶媒体、電池のいづれを取り出す場合であっても、記憶媒体、記憶媒体に記録されているデータ、携帯電子機器自体のいづれをも保護し、トラブルを防止することができる。
【００６１】
また、請求項５に記載の発明の携帯電子機器によれば、記録媒体への書き込みクロック周波が通常時よりも高周波とされるのは、装填口蓋が開かれたことが検出された場合だけであり、電力消費が必要以上に大きくなることがないようにすることができる。
【図面の簡単な説明】
【図１】この発明による携帯電子機器の一実施の形態を説明するための図である。
【図２】この発明による携帯電子端末の一実施の形態において電池蓋が開かれたことを検知したときに行われる記憶媒体へのデータの早急な記録処理を説明するためのフローチャートである。
【符号の説明】
１…筐体、１ａ…電池蓋回転支点、１ｂ…電池蓋ロック部、１ｃ…電池ロックつまみ、１ｄ…電池ロック爪、２…メイン基板、３…開閉スイッチ、３ａ…スイッチ凸部、４…電池蓋、４ａ…長孔、４ｂ…爪部、５…記憶媒体、６…コネクタ、７…サブ基板、８…電池端子板、９…電池端子、１０…電池ケース、１０ａ…ロック用凹部
【図１】
0004096131.tif 000002
【図２】
0004096131.tif 000003